(57)【要約】      （修正有）【課題】ファインダを覗いていない状態で、使用者が指先で表示画面に対して操作を行う際、使用者の指先を誤検知する可能性を軽減させ、この誤検知に起因する誤動作が起きにくくなる撮像装置を提供する。【解決手段】カメラ１１は、少なくとも接眼検知センサ１４が有効な状態においては、不揮発性メモリに記憶されているデータに基づき、第２の表示オブジェクトを、第１の表示オブジェクトよりも、接眼検知センサ１４に近い側のＴＦＴ１２の画面に表示させる。第２の表示オブジェクトは、第２の表示オブジェクトが表示される表示範囲ｂがタッチされてもカメラ１１の操作が入力されない情報である。一方、第１の表示オブジェクトは、第１の表示オブジェクトが表示される表示範囲ａへのタッチ入力によってカメラ１１の操作が入力可能な情報である。【選択図】図１
2011232741.tif 000002
【特許請求の範囲】
【請求項１】
接眼部を有するファインダと、
前記接眼部に物体が接近したことを検知する接近検知ユニットと、 
タッチパネル式の表示ユニットと、
前記接近検知ユニットで物体が接近したことを検知すると前記表示ユニットの発光輝度を低減または消灯させるように制御する制御ユニットと、
前記接近検知ユニットで物体が接近したことを検知していない状態において、タッチ操作に応じて割り当てられた機能を実行する第１の種別の表示オブジェクトを、タッチ操作が行われても割り当てられた機能を実行しない第２の種別の表示オブジェクトよりも、前記表示ユニットの表示面のうち前記接近検知ユニットから遠い位置に表示するように制御する表示制御ユニットと、 
前記第１の種別の表示オブジェクトに対するタッチ操作が検出されると、当該第１の種別の表示オブジェクトに割り当てられた機能を実行する実行ユニットと、
を有することを特徴とする撮像装置。 
【請求項２】
前記接近検知ユニットによって前記物体が検知された場合、前記表示ユニットに対するタッチ操作を無効にするように制御する入力制御ユニットを更に備えることを特徴とする請求項１記載の撮像装置。
【請求項３】
前記接近検知ユニットを有効または無効に切り替える接近検知切替ユニットを更に備えることを特徴とする請求項１または２記載の撮像装置。
【請求項４】
撮影モードである場合、前記接近検知切替ユニットは、前記接近検知ユニットを有効にし、前記表示制御ユニットは、前記接近検知ユニットによって前記物体が検知されない場合、前記表示ユニットに前記第１の種別の表示オブジェクトおよび前記第２の種別の表示オブジェクトを表示させ、前記接近検知ユニットによって前記物体が検知された場合、前記表示ユニットの発光輝度を低減または消灯させることを特徴とする請求項３記載の撮像装置。
【請求項５】
撮影モードでない場合、前記接近検知切替ユニットは、前記接近検知ユニットを無効に切り替え、前記表示制御ユニットは、前記接近検知ユニットからの距離に関わらず、前記表示ユニットに前記第１の種別の表示オブジェクトを表示させることを特徴とする請求項３または４に記載の撮像装置。
【請求項６】
前記表示制御ユニットは、シャッタースピード優先モード時の絞り値を表す表示オブジェクトを、前記第２の種別の表示オブジェクトとして表示するように制御することを特徴とする請求項１乃至５のいずれか１項に記載の撮像装置。
【請求項７】
前記表示制御ユニットは、絞り優先モード時のシャッタースピード値を表す表示オブジェクトを、前記第２の種別の表示オブジェクトとして表示するように制御することを特徴とする請求項１乃至６のいずれか１項に記載の撮像装置。
【請求項８】
前記表示制御ユニットは、プログラムモード時のシャッタースピード値および絞り値を、前記第２の種別の表示オブジェクトとして表示することを特徴とする請求項１乃至７のいずれか１項に記載の撮像装置。
【請求項９】
前記表示制御ユニットは、前記表示ユニットに表示される前記第２の種別の表示オブジェクトの表示態様を前記第１の種別の表示オブジェクトとは異ならせることを特徴とする請求項１乃至８のいずれか１項に記載の撮像装置。
【請求項１０】
前記表示制御ユニットは、前記表示ユニットに表示される前記第２の種別の表示オブジェクトの彩度、明度、色の少なくとも一つを前記第１の種別の表示オブジェクトとは異ならせることを特徴とする請求項９記載の撮像装置。
【請求項１１】
前記表示制御ユニットは、前記第２の種別の表示オブジェクトを前記第１の種別の表示オブジェクトに対してネガポジ反転で前記表示ユニットに表示させることを特徴とする請求項９記載の撮像装置。
【請求項１２】
前記表示制御ユニットは、前記表示ユニットに表示される前記第１の種別の表示オブジェクトを当該第１の種別の表示オブジェクトの背景に対して突出させ、前記第２の種別の表示オブジェクトを、前記第１の種別の表示オブジェクトより突出量が少なく見えるように、あるいは突出量ゼロ、もしくは凹んで見えるようにすることを特徴とする請求項９記載の撮像装置。
【請求項１３】
前記表示制御ユニットは、前記表示ユニットに表示される前記第２の種別の表示オブジェクトの表示範囲にはタッチ操作ができないことを示すガイダンスを表示するように制御することを特徴とする請求項９乃至１２の何れか１項に記載の撮像装置。
【請求項１４】
前記接近検知ユニットが備えられた第１の筺体、該第１の筐体に対して回動自在に取り付けられ且つ前記表示ユニットを備えた第２の筺体と、
前記１の筺体に対する前記第２の筺体の姿勢を検出する姿勢検出ユニットとを更に有し、
前記表示制御ユニットは、前記姿勢検出ユニットによって検出された前記第２の筐体の姿勢に基づいて、前記第２の筺体が前記表示ユニットの表示面が視認できるように前記第１の筺体に対して閉じられた姿勢である場合に第２の種別の表示オブジェクトとして表示していた情報を、前記第２の筺体が前記第１の筺体に対して開かれた姿勢である場合には第１の種別の表示オブジェクトとして表示するように制御することを特徴とする請求項１乃至１３の何れか１項に記載の撮像装置。
【請求項１５】
前記接近検知ユニットが備えられた第１の筺体、該第１の筐体に対して回動自在に取り付けられ且つ前記表示ユニットが備えた第２の筺体と、
前記１の筺体に対する前記第２の筺体の姿勢を検出する姿勢検出ユニットとを更に有し、
前記実行ユニットは、前記姿勢検出ユニットによって検出された前記第２の筐体の姿勢に基づいて、前記第２の筺体が前記表示ユニットの表示面が視認できるように前記第１の筺体に対して閉じられた姿勢である場合に表示していた前記第２の種別の表示オブジェクトに対してタッチ操作が行われても、前記第２の種別の表示オブジェクトに割り当てられた機能を実行しない一方、前記第２の筺体が前記第１の筺体に対して開かれた姿勢である場合には前記第２の種別の表示オブジェクトに対するタッチ操作に応じて前記第２の種別の表示オブジェクトに割り当てられた機能を実行することを特徴とする請求項１乃至１３のいずれか１項に記載の撮像装置。
【請求項１６】
前記表示ユニットの表示面のうち、前記第２の種別の表示オブジェクトが表示される表示範囲では、タッチ操作の検出を行わないように制御するタッチ検出制御ユニットを更に有することを特徴とする請求項１乃至１５のいずれか１項に記載の撮像装置。
【請求項１７】
前記表示制御ユニットは、再生モード時には、前記接近検知ユニットからの距離に関わらず、前記表示ユニットの表示面に前記第１の種別の表示オブジェクトを表示させ、かつ、前記表示ユニットの表示面のうち、撮影モードにおいて前記第２の種別の表示オブジェクトを表示する表示範囲には、撮影モードでは用いない前記第１の種別の表示オブジェクトを表示させるように制御することを特徴とする請求項１乃至１６のいずれか１項に記載の撮像装置。
【請求項１８】
前記第１の種別の表示オブジェクト及び前記第２の種別の表示オブジェクトは前記撮像装置に設定されている撮像条件を表す表示オブジェクトであることを特徴とする請求項１乃至１７のいずれか１項に記載の撮像装置。
【請求項１９】
前記タッチパネル式の表示ユニットとは異なる、前記第２の種別の表示オブジェクトが表す撮影条件の設定値を変更する操作を受け付ける操作部材をさらに有することを特徴とする請求項１８記載の撮像装置。
【請求項２０】
接眼部を有するファインダと、前記接眼部に物体が接近したことを検知する接近検知ユニットと、タッチパネル式の表示ユニットとを有する撮像装置の制御方法であって、
前記接近検知ユニットで物体が接近したことを検知すると前記表示ユニットの発光輝度を低減または消灯させるように制御する制御ステップと、
前記接近検知ユニットで物体が接近したことを検知していない状態において、タッチ操作に応じて割り当てられた機能を実行する第１の種別の表示オブジェクトを、タッチ操作が行われても割り当てられた機能を実行しない第２の種別の表示オブジェクトよりも、前記表示ユニットの表示面のうち前記接近検知ユニットから遠い位置に表示するように制御する表示制御ステップと、
前記第１の種別の表示オブジェクトに対するタッチ操作が検出されると、当該第１の種別の表示オブジェクトに割り当てられた機能を実行する実行ステップと、
を有することを特徴とする撮像装置の制御方法。 
【請求項２１】
請求項２０に記載された撮像装置の制御方法をコンピュータに実行させるためのプログラムを格納したことを特徴とするコンピュータで読み取り可能な記憶媒体。
【発明の詳細な説明】
【技術分野】
【０００１】
本発明は、ファインダを通して観察される被写体を撮影する撮像装置、その制御方法および該方法をコンピュータに実行させるためのプログラムを格納するコンピュータで読み取り可能な記憶媒体に関する。
【背景技術】
【０００２】
近年、カメラの背面に、ＴＦＴ液晶に代表されるような情報表示装置を搭載し、カメラの状態を表示させるカメラが多数発売されている。これらのカメラの中には、ファインダを覗いた時に情報表示装置の表示面が眩しいことから、情報表示装置を自動消灯させるための接眼検知センサを搭載したものがある。この接眼検知センサは、単に物体が近づいたか否かを検知するものであり、一般的に赤外線センサが用いられる。
【０００３】
一方、情報表示装置の表示面に、使用者の操作を検知するタッチパネルを搭載したカメラも発売されている。一般的に、ファインダ、接眼検知センサおよび情報表示装置は、カメラの背面側に設けられている。このため、接眼検知センサとタッチパネルを併用して操作されるカメラにおいては、使用者がファインダを覗いた際、鼻先がタッチパネルに触れてしまうことによる誤操作が考えられる。
【０００４】
これに対し、特許文献１には、カメラにおいて、接眼検知センサの検知出力によりタッチパネルの操作を禁止し、誤操作を防止することが記載されている。また、特許文献２には、撮像装置において、接眼検知センサの検知出力によりタッチパネルの操作を、通常時とは異なる操作に切り替え、情報表示装置の表示内容から切り離すことにより誤操作を防止することが記載されている。
【先行技術文献】
【特許文献】
【０００５】
【特許文献１】特開２００１−０５９９８４号公報
【特許文献２】特開２００４−１６５９３４号公報
【発明の概要】
【発明が解決しようとする課題】
【０００６】
しかしながら、上記従来の撮像装置には、つぎのような問題があった。すなわち、特許文献１、２に記載の技術は、使用者がファインダを覗いた際のタッチパネルの誤操作防止に関するものであり、接眼検知センサの誤検知に起因するカメラの誤動作に対して何ら寄与しなかった。
【０００７】
つまり、特許文献１においては、使用者がファインダを覗いていない状態で、指先でタッチパネルを操作する際、接眼検知センサが使用者の指先を顔であると判断してしまうと、使用者の意図に反して情報表示装置が消灯してしまうという問題があった。
【０００８】
また、特許文献２においても、使用者がファインダを覗いていない状態で、指先でタッチパネルを操作する際、接眼検知センサが使用者の指先を顔であると判断してしまうと、使用者の意図に反して情報表示装置の表示内容が変わってしまう。この結果、所望の操作を行うことができなくなるおそれがあるという問題があった。
【０００９】
このような従来技術の問題について図７を用いて説明する。図７は従来のデジタル一眼レフカメラの背面側の外観を示す図である。デジタル一眼レフカメラ７３１において、タッチパネルを有するＴＦＴ液晶７３２に表示された絞り値「Ｆ８．０」の表示部位を指で触れて、撮影条件を変更しようとすると、つぎのようなことが起こり得た。「Ｆ８．０」表示部位が接眼検知センサ７３４に近いので、接眼検知センサ７３４が使用者の指先を、使用者がファインダ７３８を覗いたものと誤検知してしまう可能性がある。この誤検知により、カメラ７３１は、使用者が撮影を行うものとして、ＴＦＴ液晶７３２を消灯させてしまう。つまり、使用者が「Ｆ８．０」表示部位をタッチしようとすると、表示が消えてしまい、撮影条件の変更ができないという誤動作を起こしてしまう。
【００１０】
本発明の目的は、ファインダを覗いていない状態で、使用者が指先で表示画面に対して操作を行う際、使用者の指先を誤検知する可能性を軽減させ、この誤検知に起因する誤動作が起きにくくなる撮像装置、撮像装置の制御方法および該方法をコンピュータに実行させるためのプログラムを格納するコンピュータで読み取り可能な記憶媒体を提供することにある。
【課題を解決するための手段】
【００１１】
上記目的を達成するために、請求項１記載の撮像装置は、接眼部を有するファインダと、前記接眼部に物体が接近したことを検知する接近検知ユニットと、タッチパネル式の表示ユニットと、前記接近検知ユニットで物体が接近したことを検知すると前記表示ユニットの発光輝度を低減または消灯させるように制御する制御ユニットと、前記接近検知ユニットで物体が接近したことを検知していない状態において、タッチ操作に応じて割り当てられた機能を実行する第１の種別の表示オブジェクトを、タッチ操作が行われても割り当てられた機能を実行しない第２の種別の表示オブジェクトよりも、前記表示ユニットの表示面のうち前記接近検知ユニットから遠い位置に表示するように制御する表示制御ユニットと、前記第１の種別の表示オブジェクトに対するタッチ操作が検出されると、当該第１の種別の表示オブジェクトに割り当てられた機能を実行する実行ユニットと、を有することを特徴とする。
【００１２】
また、上記目的を達成するために、請求項２０記載の撮像装置の制御方法は、接眼部を有するファインダと、前記接眼部に物体が接近したことを検知する接近検知ユニットと、タッチパネル式の表示ユニットとを有する撮像装置の制御方法であって、前記接近検知ユニットで物体が接近したことを検知すると前記表示ユニットの発光輝度を低減または消灯させるように制御する制御ステップと、前記接近検知ユニットで物体が接近したことを検知していない状態において、タッチ操作に応じて割り当てられた機能を実行する第１の種別の表示オブジェクトを、タッチ操作が行われても割り当てられた機能を実行しない第２の種別の表示オブジェクトよりも、前記表示ユニットの表示面のうち前記接近検知ユニットから遠い位置に表示するように制御する表示制御ステップと、前記第１の種別の表示オブジェクトに対するタッチ操作が検出されると、当該第１の種別の表示オブジェクトに割り当てられた機能を実行する実行ステップと、を有することを特徴とする。
【００１３】
また、上記目的を達成するために、請求項２１記載のコンピュータで読み取り可能な記憶媒体は、請求項２０に記載された撮像装置の制御方法をコンピュータに実行させるためのプログラムを格納したことを特徴とする。
【発明の効果】
【００１４】
本発明によれば、ファインダを覗いていない状態で、使用者が指先で表示画面に対して操作を行う際、接近検知ユニットが使用者の指先を誤検知する可能性を軽減させることができる。従って、接近検知ユニットの誤検知に起因する撮像装置の誤動作が起きにくくなる。
【図面の簡単な説明】
【００１５】
【図１】第１の実施の形態としてのカメラの背面側の外観を示す図である。
【図２】カメラのハードウェア構成を概略的に示すブロック図である。
【図３】カメラの動作手順を示すフローチャートである。
【図４】ＴＦＴに表示されるデータを示す図である。
【図５】第２の実施の形態としてのカメラの背面側の外観を示す図である。
【図６】第３の実施の形態としてのカメラの背面側の外観を示す図である。
【図７】従来のデジタル一眼レフカメラの背面側の外観を示す図である。
【図８】第４の実施の形態としてのカメラに取り付けられたバリアングル表示部の各姿勢を示す図である。
【図９】図８における各姿勢の際のＴＦＴの画面表示例を示す図である。
【図１０Ａ】第４の実施の形態におけるマニュアル撮影モードの処理手順を示すフローチャートである。
【図１０Ｂ】第４の実施の形態におけるマニュアル撮影モードの処理手順を示すフローチャートである。
【図１０Ｃ】第４の実施の形態におけるマニュアル撮影モードの処理手順を示すフローチャートである。
【図１０Ｄ】第４の実施の形態におけるマニュアル撮影モードの処理手順を示すフローチャートである。
【発明を実施するための形態】
【００１６】
本発明の実施の形態について図面を参照しながら説明する。
【００１７】
図１は本発明の第１の実施の形態に係る撮像装置の例としてのデジタル一眼レフカメラ（以下、カメラと略す）１１の背面側の外観を示す図である。カメラ１１の背面には、撮影画像やカメラ１１の設定・動作状態などを表示する情報表示装置としてのＴＦＴ液晶表示装置（単に、ＴＦＴという）１２が設けられている。
【００１８】
また、ＴＦＴ１２の表面には、透明な透過型タッチパネル（以下、タッチパネルと略す）１３が設置されている。タッチパネル１３（タッチパネル式の表示ユニット）は、使用者の指先などの接触の有無だけでなく、ＴＦＴ１２のどの部分に接触したか（接触位置）も検知する。これにより、ＴＦＴ１２の表示内容と接触位置を比較することで、使用者がＴＦＴ１２のどの表示部位を触ったかが判別可能となる。
【００１９】
また、カメラ１１には、電源スイッチレバー１７、モードダイヤル１６、メニューボタン１５、シャッタボタン６１（図２参照）などの操作スイッチが多数搭載されている。シャッタボタン６１は撮影指示を行う。モードダイヤル（モード切替スイッチ）１６は各種モードを切り替える。メニューボタン１５は、使用者の操作を受け付け、カメラ１１の各種機能の設定を行い、セット（ＳＥＴ）ボタン１９ａ、４方向ボタン１９ｂ、再生ボタン１９ｃ、コントローラホイール７３などとともに後述する操作部７０を構成する。電源スイッチレバー１７は電源のオン／オフを切り替える。
【００２０】
カメラ１１はファインダ１８を通して観察される被写体を撮影し、接眼部を有するファインダ１８の下方には、接眼検知センサ１４（接近検知ユニット）が設置されている。接眼検知センサ１４は、その前面から一定距離内にある物体（対象物）の有無を検知する。本実施の形態では、接眼検知センサ１４として、対象物から発せられる赤外線を感知する、一般的な赤外線センサが用いられる。この赤外線センサにより、使用者がファインダ１８を覗くために顔を近づけたことが検知される。なお、接眼検知センサ１４としては、赤外線センサに限らず、発光部および受光部を有する光センサ、超音波センサなどを用いることも可能である。
【００２１】
図２はカメラ１１のハードウェア構成を概略的に示すブロック図である。カメラ１１は、フォーカスレンズを含む撮影レンズ１０３、絞り機能を備えるシャッタ１０１、および光学像を電気信号に変換するＣＣＤやＣＭＯＳ素子等で構成される撮像部２２を有する。
【００２２】
また、カメラ１１は、撮像部２２から出力されるアナログ信号をデジタル信号に変換するＡ／Ｄ変換器２３およびバリア１０２を有する。バリア１０２は、カメラ１１の撮影レンズ１０３などを覆うことにより、撮影レンズ１０３、シャッタ１０１および撮像部２２を含む撮像系の汚れや破損を防止する。
【００２３】
画像処理部２４は、Ａ／Ｄ変換器２３からのデータやメモリ制御部２５からのデータに対し、所定の画素補間、縮小などのリサイズ処理や色変換処理を行う。また、画像処理部２４では、撮像した画像データを用いて所定の演算処理が行われ、システム制御部５０は、この得られた演算結果に基づき、露光制御や測距制御を行う。これにより、ＴＴＬ（スルー・ザ・レンズ）方式のＡＦ（オートフォーカス）処理、ＡＥ（自動露出）処理、およびＥＦ（フラッシュプリ発光）処理が行われる。さらに、画像処理部２４では、撮像した画像データを用いて所定の演算処理が行われ、システム制御部５０は、この得られた演算結果に基づき、ＴＴＬ方式のＡＷＢ（オートホワイトバランス）処理も行う。
【００２４】
Ａ／Ｄ変換器２３からの出力データは、画像処理部２４およびメモリ制御部２５を介して、あるいはメモリ制御部２５を介してメモリ３２に直接書き込まれる。メモリ３２は、撮像部２２によって得られ、Ａ／Ｄ変換器２３によりデジタルデータに変換された画像データや、ＴＦＴ（表示部）１２に表示するための画像データを格納する。メモリ３２は、所定枚数の静止画像や所定時間の動画像および音声を格納するために、十分な記憶容量を有する。
【００２５】
また、メモリ３２は画像表示用のメモリ（ビデオメモリ）を兼ねている。Ｄ／Ａ変換器２６は、メモリ３２に格納されている画像表示用のデータをアナログ信号に変換し、ＴＦＴ１２に供給する。このように、メモリ３２に書き込まれた表示用の画像データは、Ｄ／Ａ変換器２６を介してＴＦＴ１２により表示される。
【００２６】
ＴＦＴ（情報表示装置）１２は、前述したように、Ｄ／Ａ変換器２６からのアナログ信号に応じた表示を行う。このように、Ａ／Ｄ変換器２３によって一度Ａ／Ｄ変換され、メモリ３２に蓄積されたデジタルデータをＤ／Ａ変換部２６においてアナログ変換し、ＴＦＴ１２に逐次転送して表示することで、ＴＦＴ１２は電子ビューファインダ（スルー画像表示）として機能する。
【００２７】
不揮発性メモリ５６は電気的に消去・記録可能なメモリである。不揮発性メモリ５６として、例えばＥＥＰＲＯＭ等が用いられる。また、不揮発性メモリ５６には、システム制御部５０の動作用の定数、プログラム等が記憶される。ここで、プログラムとは、本実施の形態において後述するフローチャートで示されるプログラムのことである。
【００２８】
システム制御部５０は、カメラ１１全体を制御する。システム制御部５０は、不揮発性メモリ５６に記録されたプログラムを実行する。システムメモリ５２には、ＲＡＭが用いられ、システム制御部５０の動作用の定数や変数が記憶されるとともに、不揮発性メモリ５６から読み出したプログラム等が展開される。
【００２９】
また、システム制御部５０は、メモリ３２、Ｄ／Ａ変換器２６、ＴＦＴ１２等を制御することにより、ＴＦＴ１２の表示を制御する表示制御部としても機能する。
【００３０】
システムタイマ５３は、各種制御に要する時間や内蔵された時計の時間を計測する。モード切替スイッチ１６、シャッタボタン６１および操作部７０は、システム制御部５０に各種の動作指示を入力する。
【００３１】
モード切替スイッチ１６は、システム制御部５０の動作モードを、静止画記録モード、動画記録モード、再生モード等に切り替える。
【００３２】
第１シャッタスイッチ６２は、カメラ１１に設けられたシャッタボタン６１の操作途中、いわゆる半押し（撮影準備指示）でＯＮとなり、第１シャッタスイッチ信号ＳＷ１を発生する。システム制御部５０は、第１シャッタスイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３３】
第２シャッタスイッチ６４は、シャッタボタン６１の操作完了、いわゆる全押し（撮影指示）でＯＮとなり、第２シャッタスイッチ信号ＳＷ２を発生する。システム制御部５０は、第２シャッタスイッチ信号ＳＷ２により、撮像部２２からの信号読み出しから記録媒体２００に画像データを書き込むまでの一連の撮影処理の動作を開始する。
【００３４】
操作部７０は、前述したように、メニューボタン１５、ＳＥＴボタン１９ａ、４方向ボタン１９ｂ、再生ボタン１９ｃ、コントローラホイール７３などからなる。また、本実施の形態では、操作部７０とは別に、ＴＦＴ１２の表示画面に対する接触を検知可能なタッチパネル１３が設けられている。タッチパネル１３は、ＴＦＴ１２に表示される種々の機能アイコンが選択・操作されることなどにより、場面ごとに適宜機能が割り当てられ、各種機能ボタンとして作用する。
【００３５】
機能ボタンとしては、例えば終了ボタン、戻るボタン、画像送りボタン、ジャンプボタン、絞込みボタン、属性変更ボタン等がある。例えば、メニューボタン１５が押されると各種の設定可能なメニュー画面がＴＦＴ１２に表示される。使用者は、ＴＦＴ１２に表示されたメニュー画面、４方向ボタン１９ｂやＳＥＴボタン１９ａを用いて、直感的に各種の設定を行うことができる。
【００３６】
コントローラホイール７３は、操作部７０に含まれる回転操作可能な操作部材であり、４方向ボタン１９ｂとともに選択項目を指示する際などに使用される。コントローラホイール７３が回転操作されると、操作量に応じて電気的なパルス信号が発生し、このパルス信号に基づき、システム制御部５０はカメラ１１の各部を制御する。このパルス信号によって、コントローラホイール７３が回転操作された角度や、何回転したかなどを判定することができる。なお、コントローラホイール７３は回転操作が検出できる操作部材であればどのようなものでもよい。例えば、使用者の回転操作に応じてコントローラホイール７３自体が回転してパルス信号を発生するダイヤル操作部材であってもよい。また、タッチセンサからなる操作部材であって、コントローラホイール自体は回転せず、コントローラホイール上で使用者の指の回転動作などを検出するものであってもよい（いわゆる、タッチホイール）。
【００３７】
電源制御部８０は、電池検出回路、ＤＣ−ＤＣコンバータ、通電するブロックを切り替えるスイッチ回路等から構成され、電池の装着の有無、電池の種類や電池残量の検出を行う。また、電源制御部８０は、その検出結果およびシステム制御部５０の指示に基づき、ＤＣ−ＤＣコンバータを制御し、必要な電圧を必要な期間、記録媒体２００を含む各部に供給する。
【００３８】
電源部３０は、アルカリ電池やリチウム電池等の一次電池、ＮｉＣｄ電池やＮｉＭＨ電池、Ｌｉ電池等の二次電池、あるいはＡＣアダプタ等からなる。インターフェース２７は、メモリカードやハードディスク等の記録媒体２００とのインターフェースである。記録媒体２００は、メモリカード等の記録媒体、半導体メモリや磁気ディスク等から構成される。
【００３９】
ここで、操作部７０とは別に設けられたタッチパネル１３について詳述する。前述したように、ＴＦＴ１２の表示面には、その接触を検知可能なタッチパネル１３が設けられている。タッチパネル１３とＴＦＴ１２は一体に構成される。例えば、タッチパネル１３は、その光の透過率がＴＦＴ１２の表示を妨げないように構成され、ＴＦＴ１２の表示面の上層に取り付けられる。そして、タッチパネル１３における入力座標とＴＦＴ１２の表示座標とが対応付けられる。これにより、あたかも、使用者がＴＦＴ１２に表示された画面を直接的に操作可能であるかのようなＧＵＩが提供される。
【００４０】
システム制御部５０は、タッチパネル１３を指やペンで触れる操作（以下、タッチダウンと称する）、タッチパネル１３を指やペンで触れている状態の操作（以下、タッチオンと称する）、タッチパネル１３を指やペンで触れたまま移動している操作（以下、ムーブと称する）、タッチパネル１３に触れていた指やペンを離した操作（以下、タッチアップと称する）、タッチパネル１３に何も触れていない状態の操作（以下、タッチオフと称する）を検出する。
【００４１】
これらの操作やタッチパネル１３に指やペンが触れている位置座標は、システム制御部５０に通知される。システム制御部５０は、この通知された情報に基づき、タッチパネル１３に対してどのような操作が行われたかを判定する。
【００４２】
ムーブについては、タッチパネル１３上で移動する指やペンの移動方向も、位置座標の変化に基づき、タッチパネル１３上の垂直成分・水平成分毎に判定することができる。
【００４３】
また、タッチパネル１３に対し、タッチダウンから一定のムーブを経てタッチアップを行った場合、ストロークを描いたことにすることができる。そして、素早くストロークを描く操作をフリックと呼ぶ。このフリックは、タッチパネル１３に指を触れたまま、ある程度の距離だけ素早く動かし、そのまま離すといった操作であり、言い換えると、タッチパネル１３を指ではじくように素早くなぞる操作である。
【００４４】
所定距離以上かつ所定速度以上でムーブを行ったことが検出され、そのままタッチアップが検出された場合、フリックが行われたと判定することができる。また、所定距離以上かつ所定速度未満でムーブを行ったことが検出された場合、ドラッグが行われたと判定することができる。
【００４５】
タッチパネルとしては、抵抗膜方式、静電容量方式、表面弾性波方式、赤外線方式、電磁誘導方式、画像認識方式、光センサ方式等、様々な方式の中から、任意の方式のものを用いることが可能である。
【００４６】
つぎに、上記構成を有するカメラ１１の動作について説明する。図３はカメラ１１の動作手順を示すフローチャートである。このフローチャートは、不揮発性メモリ５６に記憶されたプログラムがシステムメモリ５２に展開されて、システム制御部５０内のＣＰＵが当該プログラムにかかる方法を実行することにより実現される。
【００４７】
カメラ１１の電源スイッチレバー１７が操作されると、システム制御部５０は、この操作を検出し、電源制御部８０を介して各部に電源を供給し、カメラ１１の動作を開始させる。まず、システム制御部５０は、カメラ１１の状態として撮影モードを検出する。撮影モードの検出は、モードダイヤル１６のポジションを検出することで行われる（ステップＳ１〜Ｓ５）。
【００４８】
すなわち、システム制御部５０は、モードダイヤル１６のポジションを検出し、マニュアルモードであるか否かを判別する（ステップＳ１）。マニュアルモードである場合、システム制御部５０はステップＳ６の処理に進む。一方、マニュアルモードでない場合、システム制御部５０は、絞り優先モードであるか否かを判別する（ステップＳ２）。
【００４９】
絞り優先モードとは、絞り値を調整する操作を使用者から受け付け、使用者の操作に応じて設定された絞り値、ＩＳＯ感度、被写体の明るさなどに基づいて、プログラム線図を用いて自動的にシャッタースピードを決定するモードである。絞り優先モードである場合、システム制御部５０はステップＳ６の処理に進む。一方、絞り優先モードでない場合、システム制御部５０は、シャッタースピード優先モードであるか否かを判別する（ステップＳ３）。
【００５０】
シャッタースピード優先モードとは、シャッタースピードを調整する操作を使用者から受け付け、使用者の操作に応じて設定されたシャッタースピード、ＩＳＯ感度、被写体の明るさなどに基づいて、プログラム線図を用いて自動的に絞り値を決定するモードである。シャッタースピード優先モードである場合、システム制御部５０はステップＳ６の処理に進む。一方、シャッタースピード優先モードでない場合、システム制御部５０は、プログラムモードであるか否かを判別する（ステップＳ４）。
【００５１】
プログラムモードである場合、システム制御部５０はステップＳ６の処理に進む。一方、プログラムモードでない場合、システム制御部５０は、オートモードであると判別し（ステップＳ５）、ステップＳ６の処理に進む。
【００５２】
そして、システム制御部５０は、使用者が撮影のためにファインダ１８を覗くことを考慮し、接眼検知センサ１４をオン（有効）にして動作させる（ステップＳ６）。なお、ステップＳ６の処理は接近検知切替ユニットの機能として実現される。さらに、システム制御部５０は、先に検出されたモードダイヤル１６のポジションに応じて、予め定められた内容のデータ（Ｄａｔａ１）をＴＦＴ１２に表示し、タッチパネル１３を動作させる（ステップＳ７）。なお、このステップＳ７の処理は入力切替ユニットの機能として実現される。
【００５３】
図４はＴＦＴ１２に表示されるデータを示す図である。データＤａｔａ１およびデータＤａｔａ２は不揮発性メモリ５６に記憶されている。ステップＳ７でＴＦＴ１２に表示されるデータＤａｔａ１として、図４（Ａ）に示すように、撮影モード別の、つまりマニュアルモード時、絞り優先モード時、シャッタースピード優先モード時、プログラムモード時またはオートモード時用のデータが用意されている。
【００５４】
システム制御部５０は、接眼検知センサ１４により対象物が検知されたか否かを判別する（ステップＳ８）。前述したように、接眼検知センサ１４として赤外線センサが用いられ、使用者が撮影のためにファインダ１８を覗く行為を行った場合、接眼検知センサ１４により使用者の顔あるいは眼の接近が検知される。接眼検知センサ１４により検知が行われた場合、システム制御部（制御ユニット）５０は、ＴＦＴ１２を消灯し、タッチパネル１３を停止させる（ステップＳ９）。なお、このステップＳ９の処理は入力切替ユニットの機能として実現される。また、ステップＳ９では、ＴＦＴ１２を消灯させることなく、輝度を低下させるだけでもよい。
【００５５】
システム制御部５０は、使用者によりシャッタボタン６１が押下され、撮影操作が行われたか否かを判別する（ステップＳ１０）。撮影操作が行われた場合、システム制御部５０は、カメラ１１に撮影動作を行わせる（ステップＳ１１）。この後、システム制御部５０は本動作を終了する。
【００５６】
一方、ステップＳ１０で撮影操作が行われない場合、使用者が撮影を取り止めてファインダ１８から顔を離したかを確認するために、システム制御部５０は、接眼検知センサ１４により対象物が検知されたか否かを判別する（ステップＳ１２）。接眼検知センサ１４により対象物が検知された場合、システム制御部５０は、ステップＳ９の処理に進む。一方、ステップＳ１２で接眼検知センサ１４により対象物が検知されなかった場合、システム制御部５０は、ステップＳ７の処理に戻り、再びＴＦＴ１２の表示を行い、タッチパネル１３を動作させる。
【００５７】
また一方、ステップＳ８において、使用者がファインダ１８を覗くことなく、シャッタースピード変更等の撮影条件の変更、メニューボタン１５の操作や再生ボタン１９ｃの操作を行った場合、システム制御部５０は、ステップＳ１３以降の処理を行う。すなわち、ステップＳ８で接眼検知センサ１４により対象物が検知されなかった場合、システム制御部５０は、撮影条件が変更されたか否かを判別する（ステップＳ１３）。
【００５８】
撮影条件が変更された場合、システム制御部５０はステップＳ１６の処理に進む。一方、撮影条件が変更されなかった場合、システム制御部５０は、メニューボタン１５が押されたか否かを判別する（ステップＳ１４）。
【００５９】
メニューボタン１５が押された場合、システム制御部５０はステップＳ１６の処理に進む。一方、メニューボタン１５が押されなかった場合、システム制御部５０は、再生ボタン１９ｃが押されたか否かを判別する（ステップＳ１５）。
【００６０】
再生ボタン１９ｃが押された場合、システム制御部５０はステップＳ１６の処理に進む。一方、再生ボタン１９ｃが押されなかった場合、システム制御部５０はステップＳ１の処理に戻る。
【００６１】
そして、シャッタースピード変更等の撮影条件の変更、メニューボタン１５の操作や再生ボタン１９ｃの操作が行われた場合、システム制御部５０は、接眼検知センサ１４をオフ（無効）にして動作を停止させる（ステップＳ１６）。なお、ステップＳ１６の処理は接近検知切替ユニットの機能として実現される。これは、メニューボタン１５や再生ボタン１９ｃが操作されたことで、使用者がこれから撮影以外の操作を行うと判断されるからである。
【００６２】
さらに、システム制御部５０は、ＴＦＴ１２の表示を行い、タッチパネル１３を動作させたままの状態で、使用者による各操作に応じて、予め定められた内容のデータ（Ｄａｔａ２）を表示する（ステップＳ１７）。図４（Ｂ）に示すように、ＴＦＴ１２には、操作に応じたデータとして、撮影条件変更時、メニュー時および再生時のデータが表示される。
【００６３】
そして、システム制御部５０は、使用者により各種の操作が終了するまで待つ（ステップＳ１８）。各種の操作が終了すると、システム制御部５０は、ステップＳ１の処理に戻る。
【００６４】
ここで、ＴＦＴ１２の表示について説明する。図１に示すように、ＴＦＴ１２の表示面において、境界線ｃより下方の表示範囲ａには、使用者が設定を変更可能な各種情報を表す表示オブジェクト（以下、第１の種別の表示オブジェクトという）が表示されている。一方、境界線ｃより上方の表示範囲ｂには、使用者がタッチ操作では設定を変更できない各種情報を表す表示オブジェクト（以下、第２の種別の表示オブジェクトという）が表示されている。
【００６５】
第１の種別の表示オブジェクトとは、第１の種別の表示オブジェクトが表示されている範囲へのタッチ入力によって、タッチされた表示オブジェクトに割り当てられた機能を実行することができる表示オブジェクトである。すなわち、タッチ操作可能な表示オブジェクトである（タッチオブジェクト）。例えば、図１のＴＦＴ１２に表示されているシャッタースピード優先モードを示す第１の種別の表示オブジェクトである「Ｔｖ」は、使用者がモードダイヤル１６を操作して変更することができる情報である。使用者は、タッチパネル１３の「Ｔｖ」の表示部位ａ１に指で触れた後、図示しない表示ガイダンスに沿ってタッチパネル１３に触れ、他の撮影モードに切り替えることもできる。
【００６６】
また、シャッタースピードを示す第１の種別の表示オブジェクトである「１／１２５」も、図示しない設定変更ダイヤルを操作して変更できる情報である。使用者は、タッチパネル１３の「１／１２５」表示部位ａ２に指で触れた後、図示しない表示ガイダンスに沿ってタッチパネル１３に触れ、他のシャッタースピードに切り替えることもできる。他の表示オブジェクトにおいても同様である。
【００６７】
第２の種別の表示オブジェクトとは、第２の種別表示オブジェクトが表示される範囲がタッチされてもカメラ１１の操作が入力されない情報である。すなわち、タッチ操作が不可能な表示オブジェクトである。表示範囲ｂはタッチ無効範囲である。例えば、図１のＴＦＴ１２に表示されている第２の種別の表示オブジェクトである絞り値「Ｆ８．０」は、シャッタースピード優先モード時、使用者が設定したシャッタースピードやＩＳＯ感度（図１ではＩＳＯ４００）と、被写体の明るさにより自動的に決まる数字である。従って、使用者が変更することができないものである。また、ＴＦＴ１２の左上隅部に表示された電池残量表示も、装着された電池の残量により決まるものであり、やはり使用者が変更することができないものである。他の表示例として、絞り値優先モード時のシャッタースピードや、プログラムモード時のシャッタースピードおよび絞り値も、同様に使用者が変更することができないものである。
【００６８】
従って、絞り優先モード時のシャッタースピードや、プログラムモード時のシャッタースピードおよび絞り値を表す表示オブジェクトはタッチ操作ができない第２の種別の表示オブジェクトとして表示範囲ｂに表示される。また、撮影可能枚数、バースト駒数、電波強度、ＬＡＮ接続、ＵＳＢ接続、ＨＤＭＩ接続、ＡＶ−ＯＵＴ接続、ＭＩＣ／ＳＰ接続などの表示も、同様に使用者が変更することができないものであるので、タッチ操作ができない第２の種別の表示オブジェクトとして表示範囲ｂに表示される。
【００６９】
なお、本実施の形態では、境界線ｃの上方向を、第２の種別の表示オブジェクトが表示される表示範囲ｂとし、下方向を、第１の種別の表示オブジェクトが表示される表示範囲ａとしたが、境界線ｃの上下の位置は、第１、第２の種別の表示オブジェクトの数などによって任意でよい。また、境界線は水平線でなくても、斜めの線であってもよいし、曲線でもよい。
【００７０】
カメラ１１は、少なくとも接眼検知センサ１４が有効な状態においては、図４（Ａ）のデータ（Ｄａｔａ１）に基づき、第２の種別の表示オブジェクトを、第１の種別の表示オブジェクトよりも、接眼検知センサ１４に近い側のＴＦＴ１２の画面に表示させる。前述したように、第２の種別の表示オブジェクトは、第２の種別の表示オブジェクトが表示される表示範囲ｂがタッチされてもカメラ１１の操作が入力されない変更不可情報である。一方、第１の種別の表示オブジェクトは、第１の種別の表示オブジェクトが表示される表示範囲ａへのタッチ入力によってカメラ１１の操作が入力可能な変更可能情報である。
【００７１】
このように、使用者がタッチしようとする第１の種別のオブジェクトは、接眼検知センサ１４から離れた遠くの位置に表示されるので、接眼検知センサ１４が使用者の指先を誤検知する可能性が低くなる。つまり、シャッタースピード優先モードにおける絞り値等の表示部位ｂ１を、接眼検知センサ１４が使用者の指先を誤検知する可能性が低くなる安全領域とすることができる。従って、カメラ１１が誤動作を起こす可能性も低くなるという効果が得られる。
【００７２】
逆に、接眼検知センサ１４が無効な状態においては、すなわち図３のステップＳ１６〜Ｓ１８の処理においては、この限りではない。つまり、カメラ１１は、図４（Ｂ）のデータ（Ｄａｔａ２）に基づき、第１の種別の表示オブジェクトであっても接眼検知センサ１４の近傍に表示させても特に問題は生じない。
【００７３】
このように、第１の実施の形態の撮像装置によれば、第２の種別の表示オブジェクトは第１の種別の表示オブジェクトより接眼検知センサに近い側のＴＦＴの表示範囲に表示される。これにより、ファインダを覗いていない状態で、指先でタッチパネルが操作される際、接眼検知センサが使用者の指先を顔であると誤検知する可能性が軽減され、接眼検知センサの誤検知に起因するカメラの誤動作が起きにくくなる。
【００７４】
また、接眼検知センサによって対象物が検知された場合、タッチパネルは無効に切り替えられるので、ファインダを覗いた際に使用者の鼻などがＴＦＴの画面に接した場合などは、操作として誤検知されることが無くなる。接眼検知センサは有効または無効に切り替えることができ、カメラの操作性が高まる。また、撮影モードで使用者がファインダを覗くと、接眼検知センサによって検知され、ＴＦＴの画面が消灯するので、使用者は撮影に際してＴＦＴの画面の眩しさを感じないで済む。また、撮影モードでない場合、接眼検知センサが無効に切り替えられるので、ＴＦＴの画面の表示態様が変更されることがなくなり、カメラの操作が容易になる。
【００７５】
また、絞り優先モード時のシャッタースピード値の表示部位を、接眼検知センサが使用者の指先を誤検知する可能性が低くなる安全領域とすることができる。また、シャッタースピード優先モード時の絞り値や、プログラムモード時のシャッタースピード値および絞り値の表示部位においても同様である。
【００７６】
図５は第２の実施の形態としてのカメラ１１の背面側の外観を示す図である。カメラ１１の構成や動作は、前記第１の実施の形態とほぼ同一であるので、同一の符号を用いることで各部の説明を省略し、ここでは異なる部分について説明する。
【００７７】
第２の実施の形態のカメラ１１には、第２の種別の表示オブジェクトを第１の種別の表示オブジェクトに対してネガポジ反転で表示する。これにより、第１の種別の表示オブジェクトと第２の種別の表示オブジェクトが視覚的に明確に異なる。
【００７８】
使用者には、ＴＦＴ１２のタッチパネル操作時、タッチしようとする第２の種別の表示オブジェクトが接眼検知センサ１４の近くにないことが視覚的にひと目で分かる。従って、使用者が指先を接眼検知センサ１４に近づけてしまう可能性が一層低くなり、前記第１の実施の形態と同様の効果が一層得られる。
【００７９】
図６は第３の実施の形態としてのカメラ１１の背面側の外観を示す図である。カメラ１１の構成や動作は、前記第１の実施の形態とほぼ同一であるので、同一の符号を用いることで各部の説明を省略し、ここでは異なる部分について説明する。
【００８０】
第３の実施の形態のカメラ１１には、第２の種別の表示オブジェクトの近傍に、これらの表示は使用者が変更できない旨の表示６６が併記されている。これにより、使用者には、ＴＦＴ１２のタッチパネル操作時、タッチしようとする表示範囲が接眼検知センサ１４の近くにないことが視覚的にひと目で分かる。従って、使用者が指先を接眼検知センサ１４に近づけてしまう可能性が一層低くなり、前記第１の実施の形態と同様の効果が一層得られる。
【００８１】
次に、本発明の第４の実施の形態に係る撮像装置としてのカメラについて説明する。
【００８２】
第４の実施の形態に係るカメラ４０は、図１のカメラ１１の本体部（第１の筺体）に回動自在かつ開閉自在に取り付けられたバリアングル表示部（第２の筺体）にＴＦＴ１２を配置し、バリアングル表示部が或る位置に占位する場合にのみ表示範囲ａ，ｂに関わらず表示オブジェクトへのタッチ操作を受け付け可能に構成されている。
【００８３】
第４の実施の形態に係るカメラ４０のハードウェア構成（図示しない）は、図２のブロック図で示されたハードウェア構成に、システム制御部５０と通信可能であり、バリアングル表示部の姿勢を検出する姿勢検出ユニット及び操作部７０に含まれるダイヤル８０３を追加したものとなる。
【００８４】
図８は、カメラ４０に取り付けられたバリアングル表示部８０１が移動しうる位置、とりうる姿勢を説明するための図である。なお、図８では、図１と同一の部材について図１と同一の符号で示す。
【００８５】
図８（Ａ）に示すとおり、バリアングル表示部８０１はヒンジ部８０２を介してカメラ４０に回動かつ開閉可能に連結されている。バリアングル表示部８０１には、ＴＦＴ１２およびタッチパネル１３が配置されている。
【００８６】
図中のバリアングル表示部８０１に記載された「上」の文字は、バリアングル表示部８０１の向きを示すために記載した便宜的な記号である。ダイヤル８０３は回転操作部材であり、時計回りおよび半時計回りの回転によって操作することができる。ダイヤル８０３の回転方向と回転量に応じて各種設定値を増減させて調整することができる。
【００８７】
バリアングル表示部８０１の姿勢は、例えばヒンジ部８０２の内部に取り付けられたバリアングル表示部８０１の姿勢検出部材としてのホール素子や、特定の角度でオンとなるスイッチなどに基づいて検出することができる。
【００８８】
また、システム制御部５０はバリアングル表示部８０１の姿勢として少なくとも以下の姿勢Ａ乃至Ｄを検出できるものとする。
【００８９】
・姿勢Ａ：図８（Ａ）に示した姿勢
ＴＦＴ１２の表示面が、接眼検知センサ１４が取りつけられた面（カメラ４０の背面）と同一方向を向くように、バリアングル表示部８０１がカメラ４０の本体に対して閉じられた（折りたたまれた）姿勢である。カメラ４０の後方からＴＦＴ１２の表示面を視認することができる。この姿勢Ａからは、バリアングル表示部８０１を軸８０４（光軸方向に垂直でカメラ４０の縦方向に平行な軸））を中心として回動させることができる（この回動を以下「開閉」と称する）。
【００９０】
・姿勢Ｂ：図８（Ｂ）に示した姿勢
ＴＦＴ１２の表示面が、接眼検知センサ１４が取りつけられた面（カメラ４０の背面）と逆方向を向くように、バリアングル表示部８０１がカメラ４０の本体に対して開けられた姿勢。ＴＦＴ１２の表示面はカメラ４０の前面と同一方向を向き、カメラ４０の前に立つ被写体側からＴＦＴ１２の表示面を視認することができる。つまり、バリアングル表示部８０１を姿勢Ａから軸８０４を中心として回動させて開いた時の姿勢である。この姿勢Ｂからは、バリアングル表示部８０１を軸８０４を中心として開閉させることができる。また、バリアングル表示部８０１を軸８０５（軸８０４に垂直な軸）を中心として回動させることができる。
【００９１】
・姿勢Ｃ：図８（Ｃ）に示した姿勢
ＴＦＴ１２の表示面が接眼検知センサ１４が取りつけられた面（カメラ４０の背面）と同一方向を向くように、バリアングル表示部８０１がカメラ４０の本体に対して開かれた姿勢。カメラ４０の後方からＴＦＴ１２の表示面を視認することができる。バリアングル表示部８０１を姿勢Ｂから軸８０５を中心として回動させた時の姿勢であり、この時のバリアングル表示部８０１の上下部は姿勢Ａ、Ｂにおけるバリアングル表示部８０１の上下部に対して反転している。この姿勢Ｃからは、バリアングル表示部８０１を、軸８０４を中心として開閉させることができる。また、バリアングル表示部８０１を、軸８０５を中心として回動させることができる。
【００９２】
・姿勢Ｄ：図８（Ｄ）に示した姿勢
ＴＦＴ１２の表示面が接眼検知センサ１４（カメラ４０の背面）に対向するようにバリアングル表示部８０１がカメラ４０の本体に対して閉じられた姿勢である。ＴＦＴ１２の表示面はいずれの方向からも視認することができない。バリアングル表示部８０１を姿勢Ｃから軸８０４を中心として回動させて閉じたときの姿勢である。この姿勢Ｄからは、バリアングル表示部８０１を軸８０４を中心として開閉させることができる。
【００９３】
図９に、図８で説明した各姿勢におけるＴＦＴ１２の画面表示例を示す。ここでは、マニュアル撮影モード（シャッタースピード、絞り値共に使用者が調整できるモード）における画面表示例を説明する。
【００９４】
図９（Ａ）は、姿勢Ａの時のＴＦＴ１２の画面表示例である。姿勢Ａでは、ＴＦＴ１２の上部である表示範囲ｂ（接眼検知センサ１４に近い領域）に表示された表示オブジェクトはタッチ操作できないように設定される。例えば、表示範囲ｂに表示された絞り値（Ｆ値）を示す表示オブジェクト（図９（Ａ）における「Ｆ８．０」の表示）は、カメラ４０に現在設定されている撮像条件を示しているが、タッチしても何もおこらない。また、表示範囲ｂ内に、この範囲内の表示オブジェクトはタッチ操作できないことを示すガイダンスが表示される。一方、表示範囲ａ（表示範囲ｂよりも接眼検知センサ１４から遠い領域）には、タッチ操作可能な第１の種別の表示オブジェクトを配置して表示する。例えば、表示範囲ａに表示されたシャッタースピード（Ｔｖ値）を示す表示オブジェクト（図９（Ａ）における「１／１２５」の表示）をタッチすることで、シャッタースピードを変更するための表示が行われ、更にタッチ操作することでシャッタースピードを変更することができる。
【００９５】
このように、表示範囲に応じて表示オブジェクトの操作の可否を変更する理由は上述の第１〜第３の実施の形態と同様であり、姿勢Ａでは表示範囲ｂが接眼検知センサ１４に近い位置となるので、この範囲にタッチ操作可能な表示部材を配置しないことで、使用者がこの範囲の付近に指を近づける可能性を低減させることができるためである。これにより、使用者の指の接近を接眼検知センサ１４が接眼であると誤検知することによって不意にＴＦＴ１２が消灯する可能性やタッチパネル１３の操作が不可能になる可能性を低減させることができる。
【００９６】
なお、タッチ操作を受け付けない表示範囲ｂに表示された第２の種別の表示オブジェクトが示す撮影条件は、タッチ操作では変更不可能であるが、タッチパネル１３とは別の位置に配置された他の操作部材の操作によって変更可能に設定される。例えば本実施の形態では、姿勢Ａにおいて表示範囲ｂに表示されたタッチ操作不可能な第２の種別の表示オブジェクトで「Ｆ８．０」が示す絞り値は、ダイヤル８０３を操作することで変更可能である。
【００９７】
図９（Ｂ）は、姿勢Ｂの時のＴＦＴ１２の画面表示例である。姿勢Ｂでは、ＴＦＴ１２の表示面及びタッチパネル１３が接眼検知センサ１４とは反対を向き、かつ離れた位置となっており、タッチパネル１３にタッチしようとした手の接近を接眼検知センサ１４が接眼であると誤検知する心配はない。そのため、ＴＦＴ１２に表示された撮影条件を示す表示オブジェクトの全てに対して表示領域にかかわらずタッチ操作を受け付け可能に設定される。すなわち、姿勢Ａではタッチ操作不可能としていた表示範囲ｂに表示した表示オブジェクトに対するタッチ操作も受け付ける。例えば、表示範囲ｂに表示されている絞り値を示す表示オブジェクトである「Ｆ８．０」と表示された部分にタッチすることで、絞り値を変更するための表示が行われ、更にタッチ操作することで絞り値を変更することができる。
【００９８】
姿勢Ｂでは、上述したように、表示範囲ｂに表示された表示オブジェクトもタッチ操作可能なので、表示範囲ａに表示された表示オブジェクトとは特に区別する必要が無く、図９（Ａ）のような、表示範囲ｂを示す枠線やガイダンスは表示されない。
【００９９】
図９（Ｃ）は、姿勢Ｃの時のＴＦＴ１２の画面表示例である。姿勢Ｃでは、ＴＦＴ１２の表示面及びタッチパネル１３が接眼検知センサ１４から離れた位置となっており、タッチパネル１３にタッチしようとした手の接近を接眼検知センサ１４が接眼であると誤検知する心配はない。そのため、姿勢Ｂの場合と同様に、ＴＦＴ１２に表示された撮影条件を示す表示オブジェクトの全てに対してタッチ操作を受け付け可能に設定される。すなわち、姿勢Ａではタッチ操作不可能としていた表示範囲ｂに表示した表示オブジェクトに対するタッチ操作も受け付ける。なお、姿勢Ｂと姿勢Ｃとではバリアングル表示部８０１の上下部が反転するので、表示内容は上下反転して表示される。すなわち、図９（Ｂ）で説明した表示範囲ａとｂの位置関係は、図９（Ｃ）においては図示するように上下が入れ替わる。
【０１００】
また、姿勢Ｄでは、ＴＦＴ１２の表示面が視認不可能であり、タッチパネル１３へのタッチ操作もできないので、ＴＦＴ１２の表示（発光）、タッチ検出ともにＯＦＦとし、省電する。
【０１０１】
図１０Ａ乃至図１０Ｄに、上述した第４の実施の形態に係るカメラ４０でのマニュアル撮影モード処理のフローチャートを示す。このフローチャートは、不揮発性メモリ５６に記億録されたプログラムをシステムメモリ５２に展開してシステム制御部５０内のＣＰＵが当該プログラムに係る方法を実行することにより実現される。
【０１０２】
カメラ４０において、モードダイヤル１６の操作などにより、マニュアル撮影モードに切り換えられると、システム制御部５０は、図１０Ａ乃至図１０Ｄの処理を開始する。なお、以下のフローチャートでは、どの場面でも撮影操作が行われた場合にはこれを受け付け、割り込み処理として撮影が行われるものとする。
【０１０３】
まず、ステップＳ１００１において、システム制御部５０は、姿勢検出ユニットからの出力に基づいて、バリアングル表示部８０１の姿勢が姿勢Ａであるか否かを判定する。システム制御部５０が姿勢Ａである判定するとステップＳ１００２に進み、姿勢Ａでないと判定するとステップＳ１０２１に進む。
【０１０４】
ステップＳ１００２において、システム制御部５０は、接眼検知センサ１４をオン（有効）にして動作させる。また、システム制御部５０は、ＴＦＴ１２の表示、バックライトの発光ともにＯＮとする。また、システム制御部５０は、タッチパネル１３に対するタッチの検出をＯＮとし、タッチパネル１３を動作させる。なお、タッチパネル１３のタッチ検出を、表示範囲ａに対するタッチのみを検出できるように部分的にＯＮとしてもよい。例えば、タッチパネル１３が静電容量方式などの複数のセンサによって構成される場合には、表示範囲ａに対するタッチを検出するためのセンサのみをＯＮとし、表示範囲ｂに対するタッチを検出するためのセンサはＯＦＦとして節電してもよい。
【０１０５】
続くステップＳ１００３において、システム制御部５０は、ＴＦＴ１２に図９（Ａ）で前述した姿勢Ａにおける画面表示（表示Ａ）を行わせる。
【０１０６】
続くＳ１００４において、システム制御部５０は、接眼検知センサ１４で接眼を検知したか否かを判定する。厳密には、目の接近であるか否かの判定ではなく、接眼検知センサ１４になんらかの対象物が接近したか否かの判定である。システム制御部５０は、接眼検知センサ１４になんらかの対象物が接近したと判定するとステップＳ１００５に進み、何らかの対象物が接近したと判定しない場合はステップＳ１００８に進む。
【０１０７】
ステップＳ１００５において、システム制御部５０は、ＴＦＴ１２の表示、バックライトの発光、タッチパネル１３に対するタッチの検出をＯＦＦとする。ＴＦＴ１２の表示、バックライトの発光をＯＦＦとする（消灯する）のは、ファインダ１８を覗く目で眩しさを感じてファインダ内の視認の邪魔になることを防止するためである。ＴＦＴ１２での表示はそのままで、バックライトの発光だけをＯＦＦとする、あるいは減光する（発光輝度を低減する）ようにしてもよい。タッチパネル１３に対するタッチの検出をＯＦＦとするのは、ファインダ１８を覗きこんだ時にタッチパネル１３に鼻が触れることによって意図しない操作が行われてしまうのを防ぐためである。ここではタッチパネル１３に対するタッチの検出を全面ＯＦＦ（あるいはタッチ自体は検出しても該検出結果を無視する）とするが、鼻が触れる可能性のある部分のみ部分的にタッチ検出をＯＦＦ(タッチ操作無効)としてもよい。
【０１０８】
続くＳ１００６において、システム制御部５０は、接眼検知センサ１４で継続して接眼を検知しているか否かを判定する。接眼が継続して検知されていると判定すると、システム制御部５０はステップＳ１００６の処理を繰り返し、接眼が検知されなくなったと判定するとステップＳ１００７に進む。
【０１０９】
ステップＳ１００７において、システム制御部５０は、ＴＦＴ１２の表示、バックライトの発光、タッチパネル１３に対するタッチの検出をＯＮとし、ステップＳ１００３の画面表示（表示Ａ）に復帰させる。
【０１１０】
続くステップＳ１００８において、システム制御部５０は、ダイヤル８０３が操作されたか否かを判定する。ダイヤル８０３が操作されたと判定すると、システム制御部５０はＳ１００９に進み、操作されていないと判定した場合はステップＳ１０１０に進む。
【０１１１】
ステップＳ１００９において、システム制御部５０は、ダイヤル８０９の操作に応じて絞り値を増減させ、絞り値を変更する。
【０１１２】
続くＳ１０１０では、システム制御部５０は、表示範囲ａにおいてタッチ操作があったか否かを判定する。表示範囲ａにおいてタッチ操作があった場合には、システム制御部５０はステップＳ１０１１に進み、タッチ操作がなかった場合にはステップＳ１０１２に進む。
【０１１３】
ステップＳ１０１１では、システム制御部５０は、タッチ操作に応じて撮影条件を含む各種設定を変更する。例えば、表示範囲ａに表示されたシャッタースピード（Ｔｖ値）を示す表示オブジェクト（図９（Ａ）における「１／１２５」の表示）に対するタッチ操作に応じてシステム制御部５０は、シャッタースピードを変更する。
【０１１４】
続くＳ１０１２において、システム制御部５０は、姿勢検出ユニットからの出力に基づいて、バリアングル表示部８０１の姿勢が変化したか否かを判定する。姿勢が変化したと判定すると、システム制御部５０は  ステップＳ１００１に進み、変化していないと判定した場合はステップＳ１０１３に進む。
【０１１５】
ステップＳ１０１３では、システム制御部５０は、マニュアル撮影モード処理を終了するか否かを判定する。マニュアル撮影モード処理が終了となるのは、例えば、モードダイヤル１６の操作などによって他の撮影モードに切り換えられた場合、電源がＯＦＦとされた場合、又は再生ボタン１９ｃが押下されたことによって再生モードに切り換えられた場合などである。マニュアル撮影モード処理を終了すると判定した場合は、システム制御部５０はマニュアル撮影モード処理を終了し、終了しないと判定した場合はＳ１００４に戻って処理を繰り返す。
【０１１６】
上述したように、姿勢ＡにおけるステップＳ１００２〜ステップＳ１０１３では、表示範囲ｂに対するタッチ操作は受け付けられない。
【０１１７】
次に、ステップＳ１０２１において、システム制御部５０は、姿勢検出ユニットからの出力に基づいて、バリアングル表示部８０１の姿勢が姿勢Ｂであるか否かを判定する。姿勢Ｂと判定される場合は、ステップＳ１０２２に進み、姿勢Ｂと判定されない場合はステップＳ１０４１に進む。
【０１１８】
ステップＳ１０２２において、システム制御部５０は、接眼検知センサ１４をオン（有効）にして動作させる。また、システム制御部５０は、ＴＦＴ１２の表示、バックライトの発光ともにＯＮとする。また、システム制御部５０は、タッチパネル１３に対するタッチの検出をＯＮとし、タッチパネル１３を動作させる。ここでは、表示範囲ｂに対するタッチ操作も検出できるようにタッチパネル１３に対するタッチの検出をＯＮとする。
【０１１９】
続くステップＳ１０２３において、システム制御部５０は、ＴＦＴ１２に、図９（Ｂ）で前述した姿勢Ｂにおける画面表示（表示Ｂ）を行わせる。
【０１２０】
続く、ステップＳ１０２４〜ステップＳ１０２９の処理は、前述のステップＳ１００４〜ステップＳ１００９の処理と同様であるので説明を省略する。
【０１２１】
次いで、ステップＳ１０３０において、システム制御部５０は、表示オブジェクトが表示されている位置が表示範囲ａであるか、表示範囲ｂであるかに関わらず、ＴＦＴ１２に表示された当該表示オブジェクトに対するタッチ操作があったか否かを判定する。タッチ操作があったと判定した場合、システム制御部５０はステップＳ１０３１に進み、タッチ操作がないと判定した場合はステップＳ１０３２に進む。
【０１２２】
ステップＳ１０３１において、システム制御部５０は、タッチ操作に応じて撮影条件を含む各種設定を変更する。例えば、表示範囲ａに表示されたシャッタースピード（Ｔｖ値）を示す表示オブジェクト（図９（Ａ）における「１／１２５」の表示）に対するタッチ操作に応じて、システム制御部５０はシャッタースピードを変更する。また、表示範囲ｂに表示されている絞り値を示す表示オブジェクトである「Ｆ８．０」と表示された部分に対するタッチ操作に応じて絞り値を変更することもできる。
【０１２３】
続く、ステップＳ１０３２の処理は、前述したステップＳ１０１２の処理と同様であるので説明を省略する。
【０１２４】
次いで、ステップＳ１０３３において、システム制御部５０は、マニュアル撮影モード処理を終了するか否かを判定する。マニュアル撮影モード処理を終了すると判定した場合は、システム制御部５０はマニュアル撮影モード処理を終了し、終了しないと判定した場合はステップＳ１０２４に戻って処理を繰り返す。
【０１２５】
上述したように、姿勢ＢにおけるステップＳ１０２２〜ステップＳ１０３３では、表示範囲ｂに対するタッチ操作も受け付けられる。
【０１２６】
次に、ステップＳ１０４１において、システム制御部５０は、姿勢検出ユニットからの出力に基づいて、バリアングル表示部８０１の姿勢が姿勢Ｃであるか否かを判定する。姿勢Ｃと判定された場合は、Ｓ１０４２に進み、姿勢Ｃと判定されない場合は、バリアングル表示部８０１の姿勢が姿勢ＤであるとしてステップＳ１０６２に進む。
【０１２７】
ステップＳ１０４２において、システム制御部５０は、接眼検知センサ１４をオン（有効）として動作させる。また、システム制御部５０は、ＴＦＴ１２の表示、バックライトの発光ともにＯＮとする。また、システム制御部５０は、タッチパネル１３に対するタッチの検出をＯＮとし、タッチパネル１３を動作させる。ここでは、表示範囲ｂに対するタッチ操作も検出できるようにタッチパネル１３に対するタッチの検出をＯＮとする。
【０１２８】
続くステップＳ１０４３では、システム制御部５０は、ＴＦＴ１２に、図９（Ｃ）で前述した姿勢Ｃにおける画面表示（表示Ｃ）を行わせる。
【０１２９】
続く、ステップＳ１０４４〜ステップＳ１０４９の処理は、前述のステップＳ１００４〜ステップＳ１００９の処理と同様であるので説明を省略する。
【０１３０】
また、続くステップＳ１０５０〜ステップＳ１０５２の処理は、前述のステップＳ１０３０〜ステップＳ１０３２の処理と同様であるので説明を省略する。
【０１３１】
次いで、ステップＳ１０５３において、システム制御部５０は、マニュアル撮影モード処理を終了するか否かを判定する。マニュアル撮影モード処理を終了すると判定した場合は、システム制御部５０はマニュアル撮影モード処理を終了し、終了しないと判定した場合はステップＳ１０４４に戻って処理を繰り返す。
【０１３２】
次に、Ｓ１０６２において、システム制御部５０は、接眼検知センサ１４をオフ（無効）とする。また、ＴＦＴ１２の表示、バックライトの発光、タッチパネル１３に対するタッチの検出をＯＦＦとする。続く、ステップＳ１０６８，ステップＳ１０６９，ステップＳ１０７２の処理はそれぞれステップＳ１００８、ステップＳ１００９，ステップＳ１０１２の処理と同様なので説明を省略する。
【０１３３】
次いで、ステップＳ１０７３において、システム制御部５０は、マニュアル撮影モード処理を終了するか否かを判定する。マニュアル撮影モード処理を終了すると判定した場合は、システム制御部５０はマニュアル撮影モード処理を終了し、終了しないと判定した場合はステップＳ１０６８に戻って処理を繰り返す。
【０１３４】
なお、姿勢Ａにおいて、タッチ操作を受け付けない領域とした表示範囲ｂに、複数の撮影条件を示す第２の種別の表示オブジェクトが表示される場合には、タッチパネル１３とは異なる位置に配置された、それぞれの表示オブジェクトに対応した各操作部材に対する操作によって変更可能としてもよい。
【０１３５】
また、タッチ操作を受け付けない表示範囲ｂに表示された複数の撮影条件を示す表示オブジェクトのいずれかに選択枠を付して表示し、選択枠で選択している表示オブジェクトが示す撮影条件について、ダイヤル８０３の操作によって変更するものとしてもよい。選択枠は例えば４方向ボタン１９ｂの操作によって移動させる。
【０１３６】
また、姿勢Ａから姿勢Ｂあるいは姿勢Ｃに変化してから後の所定時間の間は、姿勢Ａにおいてタッチ操作できなかった表示オブジェクトであって、姿勢ＢまたはＣでタッチ操作可能となった表示オブジェクトを強調して表示したり、姿勢の変化後に新たにタッチ操作ができるようになった旨をガイダンス表示しても良い。このようにすることで、新たにタッチ操作ができるようになったことを使用者に認識させることができる。強調の仕方としては例えば該当する表示オブジェクト自体の色や背景部分の色を他の表示オブジェクトと異ならせて表示したり、点滅して表示するなどの方法がある。
【０１３７】
以上説明した第４の実施の形態に係る撮像装置としてのカメラ４０によれば、バリアングル表示部８０１の位置に応じて、タッチ操作を行う指の接近を接眼であると誤検知する可能性がある姿勢において、ＴＦＴ１２の表示範囲のうち接眼検知センサ１４に近い位置にタッチ操作可能な第１の種別の表示オブジェクトが配置されないように構成される。これによって、タッチ操作を行う指の接近を接眼であると誤検知する可能性がある姿勢であっても、タッチ操作を行う指の接近を接眼であると誤検知してしまう可能性を低減することができる。また、バリアングル表示部８０１の姿勢（位置）が、タッチ操作を行う指の接近を接眼であると誤検知する可能性が低い姿勢（位置）であれば、ＴＦＴ１２の表示範囲においてどの位置であってもタッチ操作可能な第１の種別の表示オブジェクトを配置できるようにしたので、操作性を向上させることができる。
【０１３８】
なお、上述した各実施の形態では、再生モードにおいては、接眼検知センサ１４がＯＦＦ（無効）になるため、タッチ操作を行う指の接近を接眼であると誤検知してＴＦＴ１２をＯＦＦとしてしまう心配がない。そのため、再生モードでは、表示位置が表示範囲ａであるか表示範囲ｂであるかに関わらずタッチ操作可能な第１の種別の表示オブジェクトを配置する。このとき、表示範囲ｂに配置するタッチ操作可能な第１の種別の表示オブジェクトは、撮影モードでは用いない機能が割り当てられた表示オブジェクトとするのが良い。このようにすれば、再生モードの時の操作の癖で撮影モード時にも表示範囲ｂに表示された表示オブジェクトをタッチしようとして指が接眼検知センサ１４に接近する可能性を低減することができる。
【０１３９】
なお、上述の各実施の形態では、接眼検知センサ１４が図１に示したようにＴＦＴ１２の上部のやや右寄りに配置される例を説明したが、接眼検知センサはファインダを覗こうする使用者の目の接近を検知できれば他の箇所に配置してもよい。その場合も、接眼検知センサの位置に応じて、タッチされることで割り当てられた機能を実行する第１の種別の表示オブジェクトを、タッチされても機能を実行しない第２の種別の表示オブジェクトよりも、ＴＦＴ１２（タッチパネル１３）の表示面のうち接眼検知センサから遠い位置に表示する。
【０１４０】
また、例えば、第２の種別の表示オブジェクトを第１の種別の表示オブジェクトに対して視覚的に明確に異ならせる方法は、つぎのような手法によってもよい。すなわち、第２の種別の表示オブジェクトを第１の種別の表示オブジェクトよりも彩度が低い（色が薄い）表示とする。また、第２の種別の表示オブジェクトを第１の種別の表示オブジェクトに対して明度が異なる（明るいまたは暗い）表示とする。また、第１の種別の表示オブジェクトが有彩色（カラー）表示である場合に第２の種別の表示オブジェクトを無彩色（白黒またはグレー）表示とする。また、第１の種別の表示オブジェクトをその背景に対して突出して見えるように表示し、第２の種別の表示オブジェクトを第１の種別の表示オブジェクトよりも突出量が少なく見えるように、あるいは突出量ゼロ、さらには第２の表示オブジェクトを凹んで見えるように、表示してもよい。
【０１４１】
上述した表示形態により、第１の種別の表示オブジェクトはタッチ操作可能であるが、第２の種別の表意オブジェクトはタッチ操作するものではないことを使用者に認識させることができる。また、第２の表示オブジェクトに操作禁止の表示を重畳、または近傍に並列させるようにしてもよい。
【０１４２】
なお、システム制御部５０の制御は１つのハードウェアが行ってもよいし、複数のハードウェアが処理を分担することで行ってもよい。
【０１４３】
また、上述した各実施の形態においては、本発明をデジタル一眼レフカメラに適用した場合を例にして説明したが、本発明はこの例に限定されず、接目ファインダ（光学ファインダかＥＶＦファインダかは問わない）と、ファインダを覗く目の接近を検知するための手段をもった撮像装置であれば適用可能である。すなわち、本発明はミラーレスのデジタル一眼カメラ、ファインダを有するコンパクトデジタルカメラ、デジタルビデオカメラ、カメラつきＰＤＡ、カメラつき携帯電話端末、カメラつき音楽プレーヤー、カメラ付きゲーム機、カメラ付き電子ブックリーダーなどに適用可能である。
【０１４４】
また、情報表示装置としては、ＴＦＴ液晶表示装置に限らず、有機ＥＬディスプレイ、表面電界ディスプレイ（ＳＥＤ）、プラズマディスプレイなどを用いてもよい。
【０１４５】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０１４６】
この場合、記憶媒体から読み出されたプログラムコード自体が前述した実施の形態の機能を実現することになり、そのプログラムコード及び該プログラムコードを記憶した記憶媒体は本発明を構成することになる。
【０１４７】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１４８】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１４９】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【符号の説明】
【０１５０】
１１  カメラ
１２  ＴＦＴ液晶
１３  タッチパネル
１４  接眼検知センサ
１８  ファインダ
５０  システム制御部 
【図１】
2011232741.tif 000003
【図２】
2011232741.tif 000004
【図３】
2011232741.tif 000005
【図４】
2011232741.tif 000006
【図５】
2011232741.tif 000007
【図６】
2011232741.tif 000008
【図７】
2011232741.tif 000009
【図８】
2011232741.tif 000010
【図９】
2011232741.tif 000011
【図１０Ａ】
2011232741.tif 000012
【図１０Ｂ】
2011232741.tif 000013
【図１０Ｃ】
2011232741.tif 000014
【図１０Ｄ】
2011232741.tif 000015